(57)【要約】      （修正有）【課題】聞き取りが良好で、あらゆる機種の携帯電話機にも、誰もが同じ作業で左右どちらの耳にも簡単、即座に装着、離脱することができ、非常にシンプルで、コスト的にも安価な一体型の携帯電話機用耳掛けフックを提供する。【解決手段】どの携帯電話機の機種にも、誰もが左右いずれかの耳に、簡単、即座に装着、離脱が出来るようにする為に、安価で、自由自在に長さを調節できる素材を使用して、携帯電話機の頭部外枠側面と同形の逆Ｕの字フックを作り、そのフックをゴム製等の弾性力の有る止め具に差し込んで、携帯電話機の側面に貼付固定し、フックと電話機本体の間に耳殻全体を入れて固定させることにより、携帯電話機が耳から脱落することなく、自ずと電話機のスピーカー部が耳の位置に、集音部が口元にそれぞれ位置するので両手を使わずして、一時的にも長時間でも会話が出来る。【選択図】図３
2005278129.tif 000002
【特許請求の範囲】
【請求項１】
携帯電話機の頭部外枠側面と同等の形状を有する逆Ｕの字フックと、その両先端部を固定するゴム製等の弾性付き止め具から成り、逆Ｕの字フックを耳殻の内側斜めに掛け、止め具の伸び縮みを利用して、フックと電話機との間に耳殻全体を挟みこむように固定すれば、自ずと電話器のスピーカー部が使用者の耳元に、及び集音部が口元に位置する携帯電話機用耳掛けフック。
【請求項２】
携帯電話機側面に貼付固定したゴム製等の止め具の弾性の働きにより、不使用時にはフックが自ずと元の取り付け位置に戻る習性を持つ請求項１表記の携帯電話機用耳掛けフック。
【請求項３】
携帯電話機の頭部外枠側面沿いの位置に収納され、装備一体型となる請求項１、及び請求項２表記の携帯電話機用耳掛けフック。
【請求項４】
逆Ｕの字フック頭部に滑り止め用のカバーを取り付け、電話機の耳からの脱落防止補強及び電話機本体の傷よけ防止となる請求項１、請求項２及び請求項３表記の携帯電話機用耳掛けフック。
【請求項５】
フックの全長を自由自在に調節することにより、あらゆる機種の携帯電話機に装着、離脱が可能となる請求項１、請求項２、請求項３、及び請求項４表記の携帯電話機用耳掛けフック。
【発明の詳細な説明】
【技術分野】
【０００１】本発明は、両手を自由にしながら、会話を続行したいという行為を即座に解決する為の携帯電話機に関する。
［背景技術］【０００２】従来の携帯電話機には、両手を自由にして会話できる装置として、携帯電話機にコードで接続されたマイク＆イヤホーンが有る。
一方、上記に変わるハンズフリーの耳掛けフック付き携帯電話機或いは保持具等の特許案は出されているが、日々、携帯電話機のモデルチェンジが激しく、その都度設計変更、開発は困難を来たすので、現実的には、携帯電話機メーカーとしては対応出来ておらず、耳掛けフック付きの携帯電話機の開発は実用化の段階まで到っていない。（例えば、特許文献１  特開平２００１−１３６２５８或いは２００１−２６８１９広報参照）
［発明開示］
［発明が解決しようとする課題］【０００３】従来は、両手を自由にするための携帯電話機用コード付きマイク＆イヤホーンが有ったが、この器具は別途購入する必要があり、時として音声の状態が必ずしも良くなく、コスト的にも材料、デザイン、パーツからして高くついている。
又、携帯電話機と一体感が無く、独り言を言っているようで違和感があり、イヤーホーンをずっと耳穴に装着することにも抵抗感がある。しかも長いコードは時として邪魔であり、取り扱い、持ち運びにも不便である。
一方、上記器具の代替装置として、一体型の耳掛けフック付き携帯電話機或いは保持具の特許案は出ているが、日々、携帯電話機のモデルチェンジが激しく、その都度設計変更、開発の必要性が有り困難を来たす。又使用者の個人差もあり、適合性の問題が伴う。従って、耳掛けフック付き携帯電話機の開発は実用化されていないのが現実である。
そこで、本発明は、これら全ての課題を解消するために為されたものであり、耳掛けフック付き携帯電話機自体の開発ではなく、その取り付け器具を開発して、耳に掛けることにより、聞き取りが良好で、あらゆる機種の携帯電話機にも、誰もが同じ作業で左右どちらの耳にも簡単、即座に装着、離脱することができ、しかも非常にシンプルで、コスト的にも安価な、従来に無い一体型の携帯電話機用耳掛けフックを提供することを目的とする。【０００４】［課題を解決するための手段］
携帯電話機頭部外枠側面と同形の逆Ｕの字フックと、その両先端部に固定する弾性付き止め具から成り、耳殻の内側斜めに掛け、フックと電話機の間に耳殻全体を挟んで固定すれば、携帯電話機が耳から脱落することなく、しかも携帯電話機のスピーカー部が自ずと耳と同じ位置に、又集音部が自ずと口元に位置する携帯電話機用耳掛けフック。
耳からフックを取り外せば、両サイドに固定しているゴム製等の止め具の弾性の働きにより、電話機側面沿いの元の所定位置に自ずと戻ることが出来、装備一体型となり携行に便利である。又、携帯電話機からフック器具自身の取り付け、取り外しが簡便である。最大の特徴として、このフック器具は別途購入であるが、安価であり、あらゆる機種の携帯電話機にも、誰もが同じ作業で簡単、即座に装着、離脱することが可能な点である。
［発明効果］【０００５】本発明の耳掛けフック器具には、自由自在に折れ曲がったり、カット出来る柔軟素材を使用しており、しかもシンプルな一定の形をしているので、フックの全長を調節することにより、あらゆる携帯電話機の機種に、誰もが同じ作業で安全、簡単且つ即座に装着、離脱することが出来る点が最大の発明効果である。従って、たとえ使用中の携帯電話機を機種変更しても、簡単に交換し、取り付けが可能である。
デスクワーク中、歩行中の際、両手がふさがっている場合に、突然電話が掛かってきても、電話機を即座に耳に掛け、両手使用も続行のまま、会話も可能。或いは、その逆の電話中に、突然両手を使いたくなった場合も即座に対応が可能である。
また、このフック器具の特徴は、一時的な便利使いは勿論であるが、最近の携帯電話機は軽量化されており、長時間耳に掛けて通話しても、耳に負担を掛けないことである。
一方、会話終了後はフックを耳から取り外すと、即座に電話機外枠側面沿いの位置に戻るので収納に邪魔にならず、再度使用の際も、装備したままなので、いつでも、どこでも、即対応が可能であり、携行に便利である。又、コスト面でも、材料、デザイン、パーツからして、非常にシンプルな形なので安価となり、使用者に負担を掛けなくて済む。
以下、本発明の実施の形態について説明する。
［発明を実施する為の最良の形態］【０００６】［実施例］
折り曲げ、切断が自由自在で、錆びない被膜アルミニュウム素材（約３．０ｍｍの丸線が適している）を使用して、携帯電話機の頭部外枠側面に沿って、左右同等の長さになるように折り曲げて、頭部と同形の逆Ｕの字フック（１）を作成する。
その逆Ｕの字フック両先端部を、裏面に強力な接着テープ或いは吸盤を貼り付けた弾性力の有るゴム製等の止め具（２）に差し込んで、その左右両足を伸ばして電話機側面沿いに、前後に動くように貼り付け、固定させる。その際、逆Ｕの字フックを電話機頭部から両側面沿いに、密着させて取り付けること。
携帯電話機の頭部の形、及び使用者の耳の大きさに合わせて、フックの長さを自由自在に調節することにより、あらゆる機種、及び個人差のある使用者に即座に対応することが出来る。
先ずは、電話機本体を左右いずれかの耳に斜めにあてがい、側面の止め具を軸に、逆Ｕの字フックを少し前に動かし、フックの足を耳の付け根沿いに斜めに入れて、逆Ｕの字フック内に耳殻全体が入るようにしながら、電話機本体とフックとの間に耳殻を挟むようにする。
その際、耳殻下部／耳たぶ（４）を、その間から最大限引っ張り出し、その耳殻下部（耳たぶ）の付け根窪み箇所を、本体側面とフック止め具の付け根に出来るＶ字部（５）に引っ掛けて固定させれば、携帯電話機が耳から脱落することなく、自ずと電話機のスピーカー部が耳の位置に、集音部が自ずと口元の位置にくる。
尚、逆Ｕの字フックの頭部に滑り止め用のカバー（３）を取り付ければ、耳からの脱落防止補強及び本体の傷よけ防止ともなる。
通話終了後、電話機を耳から外すと、フック止め具（２）の弾性の働きにより、フックは即座に電話機の元の所定位置（６）に戻ることが出来る。
［産業上の利用可能性］【０００７】本発明は、左右のいずれの手も使わず、両手を自由にして、通話が可能となる携帯電話に関する。
【図面の簡単な説明】［図１］
本発明及び使用状態を示す正面図である。
［図２］
本発明及び使用状態を示す側面図である。
［図３］
本発明を耳に掛けた状態を示す正面図及び側面図である。
【符号の説明】
１：フック                                    ４：耳殻下部（耳たぶ）位置
２：ゴム製等の弾性付き止め具                  ５：耳殻挟持位置
３：滑り止め用及び本体の傷よけ防止用カバー    ６：フック収納位置
【図１】
2005278129.tif 000003
【図２】
2005278129.tif 000004
【図３】
2005278129.tif 000005